(57)【特許請求の範囲】
【請求項１】
視覚情報を表示する表示パネルと、
前記表示パネルの前方に配設され、前記視覚情報を透過させる透過パネルと、
前記表示パネルと前記透過パネルとの間の空間を周方向に取り囲む周壁部材と、
前記周壁部材の外周面に取り付けられ、音波を発することにより聴覚情報を提供する発音体と、
を備え、
前記周壁部材には、前記発音体に向かって開口すると共に前記空間に連通する連通孔が設けられることを特徴とする車両用表示装置。
【請求項２】
前記連通孔は、前記透過パネル側に向かって開口することを特徴とする請求項１に記載の車両用表示装置。
【請求項３】
前記周壁部材は、前記表示パネルと前記透過パネルとの間に跨って設けられ、この透過パネルとの間にクリアランスを形成することを特徴とする請求項１又は２に記載の車両用表示装置。
【請求項４】
前記発音体を前記連通孔と反対側から覆うカバー部材を備えることを特徴とする請求項１〜３のいずれか一項に記載の車両用表示装置。
【請求項５】
前記周壁部材は、前記連通孔としての周壁連通孔を有し、
前記カバー部材は、前記発音体を収容する内部と、外部との間を連通するカバー連通孔を有することを特徴とする請求項４に記載の車両用表示装置。
【請求項６】
前記カバー部材の外部となる前記周壁部材の外周側において音波を反射し、当該反射波を前記透過パネルの前方に伝播する伝播部材を備えることを特徴とする請求項５に記載の車両用表示装置。
【請求項７】
前記周壁部材の内周側において前記空間を仕切る仕切部材を備え、
前記発音体と反対側において前記連通孔は、前記空間のうち前記周壁部材と前記仕切部材とにより覆われて音波を共鳴させる共鳴部と連通することを特徴とする請求項１〜６のいずれか一項に記載の車両用表示装置。
【請求項８】
前記仕切部材は、前記表示パネルと前記透過パネルとの間に跨って設けられ、この透過パネルとの間にクリアランスを形成することを特徴とする請求項７に記載の車両用表示装置。
【請求項９】
前記周壁部材は、前記連通孔としての周壁連通孔を有し、
前記仕切部材は、前記空間のうち前記共鳴部と、前記透過パネルに臨む残部との間を連通する仕切連通孔を有することを特徴とする請求項７又は８に記載の車両用表示装置。
【請求項１０】
前記周壁部材は、前記連通孔としての第一周壁連通孔、並びに前記共鳴部と前記周壁部材の外周側との間を連通する第二周壁連通孔を有することを特徴とする請求項７〜９のいずれか一項に記載の車両用表示装置。
【請求項１１】
前記第二周壁連通孔が開口する前記周壁部材の外周側において音波を反射し、当該反射波を前記透過パネルの前方に伝播する伝播部材を備えることを特徴とする請求項１０に記載の車両用表示装置。
【請求項１２】
前記伝播部材は、前記周壁部材の外周側と前記透過パネルの前方とに連通するクリアランスを、それら周壁部材及び透過パネルのうち一方との間に形成することを特徴とする請求項６又は１１に記載の車両用表示装置。
【請求項１３】
前記伝播部材は、音波を単反射と多重反射とにより前記透過パネルの前方に伝播することを特徴とする請求項６，１１，１２のいずれか一項に記載の車両用表示装置。
【請求項１４】
前記表示パネルの後方に配設され、リード線によって電気的に接続された前記発音体を制御する制御回路を備えることを特徴とする請求項１〜１３のいずれか一項に記載の車両用表示装置。
【発明の詳細な説明】
【技術分野】
【０００１】
本発明は、車両用表示装置に関する。
【背景技術】
【０００２】
従来、視覚情報と共に聴覚情報を車両のユーザに提供するようにした車両用表示装置が知られている。こうした車両用表示装置の一種として特許文献１，２には、音波を発することにより聴覚情報を提供する発音体としてのブザーを、視覚情報を提供する表示パネルの後方に配設した装置が開示されている。これら特許文献１，２に開示の装置では、ブザーから発せられた音波が、表示パネルの後方においてブザーを覆うカバーの貫通孔を通じて装置外部へと伝播し、その結果として聴覚情報がユーザに伝達されるようになっている。
【特許文献１】特開２００６−１１９０４７号公報
【特許文献２】実用新案登録第３０９４０７３号公報
【発明の開示】
【発明が解決しようとする課題】
【０００３】
さて、特許文献１，２に開示の車両用表示装置の場合、ブザーから発せられて表示パネル後方のカバー内から貫通孔を通じて装置外部へ伝播した音波は、装置と車両のインストルメントパネルとの間の隙間で反射を繰り返し、この隙間から漏れた音波がユーザにまで到達すると考えられる。しかしながら、音波が装置とインストルメントパネルとの間の隙間で反射を繰り返すことによれば、ユーザに到達した音波は、元来、ブザーが発する音波に対して音圧レベルが著しく劣化したものになる。その結果、たとえばカーオーディオ等の車内環境要因の影響を受けて、ユーザに対する聴覚情報の伝達が十分になされないおそれがあった。
【０００４】
そこで本発明は、前述の課題に対して対処するためになされたものであり、その目的は、視覚情報と共に聴覚情報をユーザに適確に伝達可能な車両用表示装置を提供することにある。
【課題を解決するための手段】
【０００５】
上記課題を解決するために、請求項１に記載の発明は、視覚情報を表示する表示パネルと、表示パネルの前方に配設され、表示パネルにより表示される視覚情報を透過させる透過パネルと、表示パネルと透過パネルとの間の空間を周方向に取り囲む周壁部材と、周壁部材の外周面に取り付けられ、音波を発することにより聴覚情報を提供する発音体とを備え、発音体が取り付けられる周壁部材には、発音体に向かって開口すると共に表示パネルと透過パネルとの間の空間に連通する連通孔が設けられることを特徴とする。
【０００６】
この発明によると、表示パネルと透過パネルとの間の空間（以下、解決手段の欄では「パネル間空間」という）を周方向に取り囲む周壁部材には、その外周面に取り付けられた発音体に向かって開口すると共にパネル間空間に連通する連通孔が設けられるので、発音体がこの連通孔を介してパネル間空間とつながることになる。これにより、発音体から発せられた音波は、連通孔内及びパネル間空間を通じた伝播により透過パネルを振動させ、さらにこの振動が透過パネル前方へと伝播することで、聴覚情報が提供されることになる。ここで、連通孔内及びパネル間空間を通じて透過パネルに直接的に伝播することになる音波は、その伝播損失が小さくなるので、聴覚情報の音圧レベルを確保することができるのである。また、連通孔内を通じてパネル間空間に伝播した音波の一部は、各パネルや周壁部材による反射を経て透過パネルを振動させることになるため、聴覚情報の音圧レベルを高めることができる。さらに、そうした反射波は、透過パネルに直接的に伝播した音波と共鳴することにより、透過パネルの振動を増幅させることになるため、聴覚情報の音圧レベルをさらに高めることができる。以上によれば、車両のユーザに対して、視覚情報と共に聴覚情報を適確に伝達することが可能となる。
【０００７】
請求項２に記載の発明によると、連通孔は、透過パネル側に向かって開口する。これによれば、発音体から発せられた音波が連通孔内及びパネル間空間を通じて透過パネルに直接的に伝播し易くなるので、聴覚情報の音圧レベルを高めることができる。
【０００８】
請求項３に記載の発明によると、周壁部材は、表示パネルと透過パネルとの間に跨って設けられ、この透過パネルとの間にクリアランスを形成する。これによれば、発音体から連通孔内及びパネル間空間を通じて透過パネル前方に到る音波の伝播経路としては、透過パネルを経由する経路に加えて、透過パネルと周壁部材との間のクリアランスを経由する経路を得ることができる。こうした伝播経路の増加の結果、透過パネルの前方における聴覚情報の音圧レベルが高められて情報伝達性が向上することになる。
【０００９】
請求項４に記載の発明は、発音体を連通孔と反対側から覆うカバー部材を備える。この発明によると、発音体から連通孔とは反対側に向かって発せられた音波をカバー部材で連通孔側に反射させることができるので、その反射波を連通孔内を通じて透過パネルに伝播させて聴覚情報の提供に利用可能となる。また、カバー部材で反射されて透過パネルに伝播した音波は、発音体から直接的に透過パネルに伝播した音波と共鳴することにより、透過パネルの振動を増幅させることができるので、増幅した振動を聴覚情報の提供に利用することも可能となる。以上によれば、聴覚情報の音圧レベルを高めることができるので、聴覚情報の伝達性が向上する。
【００１０】
請求項５に記載の発明によると、周壁部材は、発音体に向かって開口すると共にパネル間空間に連通する連通孔としての周壁連通孔を有し、カバー部材は、発音体を収容する内部と、外部との間を連通するカバー連通孔を有する。これによれば、カバー部材の内部にて発音体から周壁連通孔とは反対側に向かって発せられた音波を、周壁連通孔側に反射させて透過パネルに到達させることのみならず、伝播損失の小さいカバー連通孔内を通じてカバー部材の外部に漏出させることもできる。故に、透過パネルの振動増幅と同時に、カバー部材の外部に漏出した音波を透過パネルの前方まで伝播させることが可能となるので、その場合には、透過パネルの前方における聴覚情報の音圧レベルが高められて情報伝達性が向上し得るのである。
【００１１】
請求項６に記載の発明は、カバー部材の外部となる周壁部材の外周側において音波を反射し、当該反射波を透過パネルの前方に伝播する伝播部材を備える。この発明によると、カバー部材の外部となる周壁部材の外周側へ当該カバー部材内部の発音体からカバー連通孔内を通じて漏出した音波は、伝播部材により反射されることで透過パネルの前方に確実に伝播され得る。これによれば、透過パネル前方における聴覚情報の音圧レベルを高レベルに確保して、情報伝達性を飛躍的に向上させることができるのである。
【００１２】
請求項７に記載の発明は、周壁部材の内周側においてパネル間空間を仕切る仕切部材を備え、発音体と反対側において連通孔は、パネル間空間のうち周壁部材と仕切部材とにより覆われて音波を共鳴させる共鳴部と連通する。この発明によると、発音体から連通孔内に入射された音波は、周壁部材の内周側において仕切部材により仕切られたパネル間空間のうち、周壁部材と仕切部材とにより覆われて発音体とは反対側にて連通孔が連通する共鳴部に伝播することとなる。これによれば、共鳴部での共鳴により音波を増幅して、当該共鳴増幅波を仕切部材からパネル間空間の残部、さらには透過パネルへと伝播可能となるので、その場合には、透過パネルの前方における聴覚情報の音圧レベルが高められて情報伝達性が向上し得るのである。
【００１３】
請求項８に記載の発明によると、仕切部材は、表示パネルと透過パネルとの間に跨って設けられ、この透過パネルとの間にクリアランスを形成する。これによれば、発音体から周壁連通孔内及び共鳴部に順次伝播することで共鳴増幅された音波がさらに透過パネルへと到る経路としては、仕切部材を経由する経路に加えて、透過パネルと仕切部材との間のクリアランスを経由する経路を得ることができる。こうした伝播経路の増加の結果、透過パネルの前方における聴覚情報の音圧レベルが高められて情報伝達性が向上することになる。
【００１４】
請求項９に記載の発明によると、周壁部材は、発音体に向かって開口すると共にパネル間空間に連通する連通孔としての周壁連通孔を有し、仕切部材は、パネル間空間のうち共鳴部と、透過パネルに臨む残部との間を連通する仕切連通孔を有する。これによれば、発音体から周壁連通孔内及び共鳴部に順次伝播することで共鳴増幅された音波を、仕切部材では伝播損失の小さい仕切連通孔内を通じて、透過パネルに臨むパネル間空間の残部へと到達させることができる。したがって、聴覚情報の音圧レベルが確実に高められることになる。
【００１５】
請求項１０に記載の発明によると、周壁部材は、発音体に向かって開口すると共にパネル間空間に連通する連通孔としての第一周壁連通孔、並びに共鳴部と周壁部材の外周側との間を連通する第二周壁連通孔を有する。これによれば、発音体から第一周壁連通孔内及び共鳴部に順次伝播することで共鳴増幅された音波を、仕切部材を経由して透過パネルに到達させることのみならず、伝播損失の小さい第二周壁連通孔内を通じて周壁部材の外周側に漏出させることもできる。故に、共鳴増幅波等による透過パネルの振動増幅と同時に、周壁部材の外周側に漏出した共鳴増幅波を透過パネルの前方まで伝播させることが可能となるので、その場合には、透過パネルの前方における聴覚情報の音圧レベルが高められて情報伝達性が向上し得るのである。
【００１６】
請求項１１に記載の発明は、第二周壁連通孔が開口する周壁部材の外周側において音波を反射し、当該反射波を透過パネルの前方に伝播する伝播部材を備える。この発明によると、第二周壁連通孔が開口する周壁部材の外周側へ共鳴部から当該第二周壁連通孔内を通じて漏出した共鳴増幅波は、伝播部材により反射されることで透過パネルの前方に確実に伝播され得る。これによれば、透過パネルの前方における聴覚情報の音圧レベルを高レベルに確保して、情報伝達性を飛躍的に向上させることができるのである。
【００１７】
請求項１２に記載の発明によると、伝播部材は、周壁部材の外周側と透過パネルの前方とに連通するクリアランスを、それら周壁部材及び透過パネルのうち一方との間に形成する。これによれば、周壁部材の外周側において伝播部材により反射された音波を、周壁部材及び透過パネルのうち一方と伝播部材との間のクリアランスを通じて透過パネルの前方に到達させることで、聴覚情報の音圧レベルをさらに高めることが可能となる。
【００１８】
請求項１３に記載の発明によると、伝播部材は、音波を単反射と多重反射とにより透過パネルの前方に伝播するので、その伝播効率、ひいては聴覚情報の音圧レベルを十分に高めることができるのである。
【００１９】
請求項１４に記載の発明は、表示パネルの後方に配設され、リード線によって電気的に接続された発音体を制御する制御回路を備える。これによれば、発音体をその制御回路とは別体に設けて、これらをリード線で電気的に接続することができるので、発音体の設置場所の自由度が高くなる。これにより、発音体から発せられる音波がユーザに良好に伝播可能となるような場所に発音体を取り付けて、聴覚情報の伝達性を向上させることが可能となる。
【発明を実施するための最良の形態】
【００２０】
以下、本発明の複数の実施形態を図面に基づいて説明する。なお、各実施形態において対応する構成要素には同一の符号を付すことにより、重複する説明を省略する。
【００２１】
（第一実施形態）
図１，２は、本発明の第一実施形態による車両用表示装置１を示している。車両用表示装置１は、車両の運転席に着座した運転者から視認可能となるようにインストルメントパネル（以下、「インパネ」という）５０内に配設されるコンビネーションメータであり、車両に関する各種情報を提供する。尚、図１，２の上下方向は、水平面上の車両の上下方向と略一致している。
【００２２】
（基本構成）
車両用表示装置１は、表示パネル２、指針８、見返し板３、透過パネル４及び電気回路部６を備えている。
【００２３】
表示パネル２は、透光性材料、たとえばポリカーボネート樹脂あるいはアクリル樹脂等から平板状に形成されている。表示パネル２には、表示意匠である目盛２１及び文字２２が発光表示可能且つ透光表示可能に設けられているとともに、それら目盛２１及び文字２２を除く部分に不透光性着色層あるいは後方からの透光のみ許容する半透光性着色層が設けられている。目盛２１及び文字２２は、視覚情報として自動車の走行速度を表示する速度計Ａを指針８とともに構成するものであり、それぞれ円弧上且つ指針８の回動軸８ａと同心上に配設されている。表示パネル２には、指針８の回動軸８ａが挿通される貫通孔２ａが設けられている。
【００２４】
指針８は、透光性材料、たとえばアクリル樹脂等により形成され、表示パネル２の前方に配設されている。指針８の回動軸８ａは、表示パネル２の貫通孔２ａを通じて表示パネル２の後方へ延伸しており、当該後方側の先端に電気回路部６のムーブメント６５が連結されている。
【００２５】
「周壁部材」としての見返し板３は、不透光性の樹脂材料によって枠状に形成されており、表示パネル２の外周縁に沿って装着されることで表示パネル２の前方に配設されている。透過パネル４は、透光性材料、たとえば透明なアクリル樹脂あるいは透明ガラス等によって湾曲板状に形成されており、見返し板３の表示パネル２とは反対側の外周縁に沿って装着されることで表示パネル２の前方に間隔をあけて配設されている。以上により本実施形態では、前後方向において透過パネル４と表示パネル２との間に挟まれた空間７が見返し板３によって周方向に取り囲まれており、表示パネル２によって表示される視覚情報が透過パネル４を透過して運転者に伝わるようになっている。なお、見返し板３及び透過パネル４は、車両用表示装置１の見映えを整えると同時に、車両用表示装置１内部への埃、水分等の侵入を防止する機能を果たしている。
【００２６】
電気回路部６は、ガラスエポキシ基板等の回路基板６３及び樹脂材料からなる回路ケース６４を有しており、回路基板６３が回路ケース６４を介して表示パネル２に装着されることで表示パネル２の後方に配設されている。回路基板６３には、マイクロコンピュータ等からなる制御回路６６が実装されている。また、回路基板６３には、発光ダイオード等からなる光源６１，６２が実装されている。ここで光源６１は、表示パネル２を透過照明するための光源であり、また光源６２は、表示パネル２の貫通孔２ａを通じて指針８を透過照明するための光源である。さらに、回路基板６３には、ムーブメント６５が実装されている。ムーブメント６５は、たとえばステッピングモータあるいは交差コイル式回転機等の電気アクチュエータであり、指針８の回動軸８ａを回動させる。
【００２７】
図３に示すように制御回路６６には、バッテリー１０から電力が常時供給されている。また、制御回路６６には、イグニッションスイッチ１２がその作動状態を検出可能に電気的に接続されている。さらに、制御回路６６には、車両の走行速度を検出する速度センサ１３が検出信号を入力可能に電気的に接続されている。またさらに、制御回路６６には、光源６１，６２及びムーブメント６５がそれぞれ点灯制御可能及び回動軸８ａの回動制御可能に電気的に接続されている。
【００２８】
以上の電気回路構成により、イグニッションスイッチ１２がＯＮ状態になると、制御回路６６はそれを検出して、車両用表示装置１の作動を開始する。ここで、速度計Ａに関する作動としては、光源６１が点灯することで表示パネル２及び指針８が発光するとともに、速度センサ１３からの検出信号に基づいてムーブメント６５が駆動されることで車両の走行速度が指針８により指示されることとなる。
【００２９】
（特徴的構成）
以下、第一実施形態の特徴的構成を詳細に説明する。
【００３０】
図１に示すように第一実施形態の車両用表示装置１は、発音体５及び発音体ケース９をさらに備えている。
【００３１】
発音体５は、運転者に聴覚情報を提供するための音波を発するブザー、たとえば圧電素子からなる薄板と金属あるいは樹脂材料とからなる薄板を張り合わせて形成した振動板を、圧電素子への電圧印加によって振動させることで音波を発生するようにした、所謂圧電ブザー等である。発音体５は、見返し板３の外周面のうち上面部３ａに取り付けられている。本実施形態の見返し板３には、上面部３ａから見返し板３の板厚方向に貫通して見返し板３の内周側の空間７と連通する連通孔３１が設けられており、上面部３ａに取り付けられた発音体５に向かって当該連通孔３１が開口する形となっている。また、本実施形態の透過パネル４は、上方から下方へ向かうに従って表示パネル２側に接近するように湾曲しており、連通孔３１が当該透過パネル４側に向かって開口する形となっている。なお、連通孔３１については、後に詳述するように発音体５から空間７に音波を伝播する際の伝播効率が高くなるように、孔径を可及的に大きくすることが好ましい。
【００３２】
表示パネル２よりも前方に位置する発音体５は、表示パネル２の後方に配設された制御回路６６に対し、リード線５ａを介して電気的に接続されている。これにより、図３に示す電気回路構成となっている本実施形態では、イグニッションスイッチ１２がＯＮ状態になって車両用表示装置１の作動が開始されると、制御回路６６が発音体５を制御することにより、必要に応じて音波が発音体５から発せられることになる。
【００３３】
図１に示すように「カバー部材」としての発音体ケース９は、不透光性の樹脂材料によってカップ状に形成されており、発音体５を収容した状態で開口部が見返し板３の上面部３ａに装着されている。このような装着形態により発音体ケース９は、連通孔３１と反対側から発音体５を覆う形となっている。なお、発音体ケース９には挿通孔９ａが形成されており、この挿通孔９ａにリード線５ａが挿通されることによって発音体５及び制御回路６６の間の電気的接続が可能となっている。
【００３４】
このような特徴的構成の第一実施形態では、見返し板３の上面部３ａに取り付けられる発音体５が発した音波は、発音体５に向かって開口する連通孔３１内を伝播する。さらに、透過パネル４側に向かって開口する連通孔３１内を伝播した音波は、当該開口から空間７を伝播して透過パネル４に到達する。その結果、音波によって透過パネル４が振動し、この振動が透過パネル４前方の空気の振動となって運転者に伝播することで、当該運転者に聴覚情報が提供されることになる。ここで、連通孔３１内及び空間７を通じて透過パネル４に直接的に伝播することになる音波について、その伝播経路は従来に比べて短くなるので、伝播経路の経路長による損失が抑制される。したがって、聴覚情報の音圧レベルを確保することができるのである。尚、連通孔３１については、見返し板３等の関係部品の材質にもよるが、例えば、その存在により又はその数が多くなるほど数１００Ｈｚ以下の周波数の音圧は向上させ、その反面、約１ｋＨｚ以上の周波数の音圧は低減させることになる。そこで、発音体５から発する音波の周波数に応じて連通孔３１のサイズや数等を変化させることにより、音圧を調整することが好ましいのである。
【００３５】
また、連通孔３１内を通じて空間７に伝播した音波の一部は、空間７周囲の各パネル２，４や見返し板３による反射を経て透過パネル４に伝播することもある。これによれば、反射を経た音波によっても透過パネル４を振動させて、聴覚情報の音圧レベルを高めることができる。さらに、反射を経た音波は、上述の如く透過パネル４に直接的に伝播した音波と共鳴することで、透過パネル４の振動振幅を増幅させることができる。したがって、聴覚情報の音圧レベルをさらに高めることができるのである。
【００３６】
さらにまた、連通孔３１とは反対側となるインパネ５０側へ向かって発音体５から発せられた音波は、当該反対側から発音体５を覆う発音体ケース９によって反射される。これによれば、発音体ケース９によって反射された音波を、連通孔３１内を通じて透過パネル４に伝播させることで、当該反射波も聴覚情報の提供に利用可能となる。しかも、発音体ケース９により反射されて透過パネル４に伝播した音波については、上述の如く透過パネル４に直接的に伝播した音波と共鳴させて、透過パネル４の振動振幅を増幅させることができるので、聴覚情報の音圧レベルの向上に顕著な効果を上げることが可能になる。
【００３７】
加えて、発音体５が発する音波の周波数を透過パネル４の固有振動数に近づけるように、たとえば透過パネル４の板厚を１ｍｍ以下で調整すること等によれば、透過パネル４の共振による音圧レベルの向上効果並びに振動安定性の向上効果を享受することもできる。
【００３８】
このように第一実施形態によれば、運転者に対して、視覚情報と共に聴覚情報を適確に伝達する車両用表示装置１を実現することができるのである。
【００３９】
以上の他、第一実施形態では、発音体５を回路基板６３と別体にし、これらをリード線５ａで接続するようにしているので、見返し板３の外周面における発音体５の取付場所について自由度が増加する。したがって、発音体５から発せられる音波が所望の音圧レベルの聴覚情報として運転者に伝達可能となる最適位置に、発音体５の取付場所を設定することができるのである。ここで、たとえば第一実施形態における発音体５の取付場所は、図１に示すように、そもそも従来はデッドスペースであった装置１とインパネ５０との間を利用しているので、意匠性の重視される装置１の外観形状に制約を課すことなく、所望の音圧レベルの聴覚情報を運転者に提供することが可能となっている。なお、発音体５の取付場所については、見返し板３の外周面のうち連通孔３１が開口する部分であれば、下面部であってもよいし、側面部であってもよい。
【００４０】
（第二実施形態）
本発明の第二実施形態は第一実施形態の変形例であり、図４に示すように、二重に重なる見返し板１３０，２３０が用いられている。
【００４１】
具体的には、第一実施形態の見返し板３に準じてパネル２，４間を前後方向に接続する外側見返し板２３０の内周側に、当該見返し板２３０よりも小さな内側見返し板１３０が配設されている。内側見返し板１３０は、不透光性の樹脂材料により枠状に形成されるものであり、外側見返し板２３０と別体に形成されてもよいし、その形状によっては外側見返し板２３０と一体に形成されてもよい。内側見返し板１３０は、表示パネル２に対してはその前方に離間し、また透過パネル４に対してはその後方に離間している。これにより、本実施形態の内側見返し板１３０は「周壁部材」として、パネル２，４間の空間７の一部７ａを周方向に取り囲む形となっている。
【００４２】
また、内側見返し板１３０の外周面（図４では上面部１３０ａ）には、第一実施形態の見返し板３の上面部３ａに準じて連通孔３１が開口し且つ発音体５が取り付けられいる。これにより、外側見返し２３０は「カバー部材」として、連通孔３１と反対側から発音体５を覆う形となっている。
【００４３】
このような第二実施形態では、発音体５から連通孔３１とは反対側に伝播した音波により外側見返し板２３０を振動させて、当該見返し板２３０に装着された透過パネル４の振動を助長させることができる。これによれば、発音体５から発せられる音波を透過パネル４にて効率よく共鳴させることが可能になるので、聴覚情報の音圧レベルの向上に貢献し得るのである。
【００４４】
（第三実施形態）
本発明の第三実施形態は第一実施形態の変形例であり、図５に示すように、連通孔３１が設けられると共に発音体５及び発音体ケース９が装着された「周壁部材」としての見返し板３３０に対して、透過パネル３４０が嵌合装着されている。
【００４５】
具体的に透過パネル３４０には、第一実施形態に準じて湾曲する本体部３４２の外周縁から後方に屈曲した形状となるように嵌合部３４４が設けられている。嵌合部３４４は、見返し板３３０において表示パネル２とは反対側端３３２に外周側から嵌合しており、インパネ５０と見返し板３３０との間に本体部３４２の外周縁が介装されることで見返し板３３０からの離脱を防止されている。これにより本実施形態では、見返し板３３０の表示パネル２とは反対側端３３２に透過パネル３４０の嵌合部３４４がクリアランス３５０を挟んで装着されて、見返し板３３０がパネル２，３４０間に跨る形でセットされている。なお、本実施形態では、インパネ５０と本体部３４２の外周縁との間にも、クリアランス３５２が形成されている。
【００４６】
このような第三実施形態では、発音体５から連通孔３１内並びにパネル２，３４０間の空間７を通じて透過パネル３４０の前方へと到る音波として、本体部３４２を経由するもののみならず、嵌合部３４４及び見返し板３３０間のクリアランス３５０と本体部３４２及びインパネ５０間のクリアランス３５２を順次経由するものが現出する。即ち、発音体５から透過パネル３４０前方までの音波の伝播経路が増加することになるので、当該前方における聴覚情報の音圧レベルをさらに高めることができるのである。
【００４７】
（第四実施形態）
本発明の第四実施形態は第三実施形態の変形例であり、図６に示すように、「カバー部材」としての発音体ケース４９０に「カバー連通孔」としての連通孔４９２が設けられ、且つインパネ４５０が「伝播部材」として設けられている。
【００４８】
具体的には、逆カップ状態に配置された発音体ケース４９０において、発音体５を挟んで連通孔３１とは反対側の底部４９４を、所定数の連通孔４９２が貫通している。これにより連通孔４９２は、発音体５を収容する発音体ケース４９０の内部空間４９６と、見返し板３３０の外周側においてインパネ４５０の天板部４５２により覆われた発音体ケース４９０の外部空間４９８との間を、連通させている。
【００４９】
樹脂材料からなるインパネ４５０には、天板部４５２から透過パネル３４０の前方へ張り出して当該透過パネル３４０の側（即ち、後方）へ折返された形状となるようにフード部４５４が設けられている。フード部４５４の内部空間４５６は、天板部４５２と見返し板３３０とにより取り囲まれた発音体ケース４９０の外部空間４９８に連通している。また、フード部４５４の折返側端４５８は、透過パネル３４０の本体部３４２の外周縁との間にクリアランス３５２を形成しており、それによって当該クリアランス３５２は、フード部４５４の内部空間４５６と透過パネル３４０の前方空間４６２とに連通した形となっている。なお、本実施形態ではフード部４５４の折返側端４５８を含む一部が、フード部４５４の残部及び天板部４５２を形成する本体部材とは分割形成されて当該本体部材に装着されているが、そうした分割形成を行わないようにしてもよい。
【００５０】
このような第四実施形態では、発音体ケース４９０の内部空間４９６にて発音体５から底部４９４側に発せられた音波は、当該底部４９４により「周壁連通孔」としての連通孔３１側へと反射されるのみならず、当該底部４９４の連通孔４９２内を通じて発音体ケース４９０の外部空間４９８へと漏出する。このとき、伝播損失の小さい連通孔４９２内を通過した音波は、音圧レベルの低下が抑えられたものとなるので、発音体ケース４９０の外部空間４９８への漏出後には天板部４５２に対して入射する。その結果、天板部４５２への入射波は当該天板部４５２により反射されて、発音体ケース４９０の外部空間４９８からフード部４５４の内部空間４５６へと伝播する。さらに、内部空間４５６への反射波は、フード部４５４及び本体部３４２間のクリアランス３５２に対して直接的に入射、又はフード部４５４での多重反射を経て入射し、それによってクリアランス３５２から透過パネル３４０の前方空間４６２へと到達することになる。即ち、第四実施形態のインパネ４５０によれば、発音体ケース４９０の内部空間４９６からの漏出波を、単反射と多重反射とにより前方空間４６２へと伝播することができるのである。
【００５１】
以上により第四実施形態では、発音体５から透過パネル３４０の前方へと到る音波として、パネル２，３４０間の空間７から本体部３４２やクリアランス３５０，３５２を経由するもののみならず、インパネ４５０により取り囲まれた空間４９８，４５６からクリアランス３５２を経由するものが現出する。即ち、発音体５から透過パネル３４０前方までの音波の伝播経路がさらに増加することになるので、当該前方における聴覚情報の音圧レベルを顕著に高めることが可能となる。
【００５２】
（第五実施形態）
本発明の第五実施形態は第四実施形態の変形例であり、図７に示すように、連通孔３１が設けられると共に発音体５及び発音体ケース４９０が装着された「周壁部材」としての本体ケース５３０の内周側に、「仕切部材」としての見返し板６３０が挿入されている。
【００５３】
具体的に本体ケース５３０は、不透光性の樹脂材料によって枠状に形成されており、表示パネル２の外周縁に見返し板６３０を介して装着されることで表示パネル２の前方に配設されている。
【００５４】
本体ケース５３０において表示パネル２とは反対側端５３２は、内周側に屈曲されて環状の化粧板部５３２を形成しており、この化粧板部５３２の前面部５３２ａに彩色、装飾等が施されている。化粧板部５３２は、インパネ４５０のフード部４５４の折返側端４５８との間にクリアランス３５２を形成している。化粧板部５３２の内周縁には、平板状の透過パネル５４０の外周縁が装着されている。これにより本体ケース５３０は、表示パネル２とその前方に間隔をあけた透過パネル５４０との間を接続して、それらパネル２，５４０間の空間７を周方向に取り囲んだ形となっている。
【００５５】
本体ケース５３０において、化粧板部５３２から後方にのびる筒壁部５３４の外周面のうち上面部５３４ａには、発音体５とそれを覆う発音体ケース４９０とが取り付けられている。また、本体ケース５３０には、上面部５３４ａから筒壁部５３４の板厚方向に貫通して筒壁部５３４の内周側の空間７と連通する連通孔３１，５３６が所定数ずつ設けられている。ここで、「（第一）周壁連通孔」としての連通孔３１の両端はそれぞれ、発音体ケース４９０の内部における発音体５と、透過パネル５４０側とに向かって開口している。一方、「第二周壁連通孔」としての連通孔５３６の両端はそれぞれ、発音体ケース４９０の外部空間４５８と、後述する見返し板６３０の筒壁部６３４側とに向かって開口している。
【００５６】
見返し板６３０において本体ケース５３０との装着端６３２は、外周側に屈曲されて環状の段差部６３２を形成しており、この段差部６３２に表示パネル２の外周縁が装着されている。見返し板６３０において段差部６３２から前方にのびる筒壁部６３４のうち表示パネル２とは反対側端６３５は、透過パネル５４０の後方にクリアランス６５０をあけて位置している。これにより、表示パネル２と透過パネル５４０との間に跨っている見返し板６３０の筒壁部６３４は、本体ケース５３０の筒壁部５３４の内周側において空間７を内外周に仕切っており、当該空間７のうち、筒壁部６３４，５３４と段差部６３２と化粧板部５３２とによって覆われてなる共鳴部６７０が連通孔３１，５３６と連通する形となっている。ここで共鳴部６７０は、空間容積が周方向に確保されることにより、連通孔３１から伝播する音波について、各部６３４，５３４，６３２，５３２での多重反射を利用した共鳴作用により増幅可能となっている。
【００５７】
見返し板６３０には、筒壁部６３４を板厚方向に貫通する「仕切連通孔」としての連通孔６３６が所定数設けられており、空間７のうち共鳴部６７０と、パネル２，５４０に臨む残部６７２との間が当該連通孔６３６を介して連通している。ここで、本実施形態の見返し板６３０の連通孔６３６は、発音体５とは反対側にて共鳴部６７０と連通する連通孔３１の略真下に位置している。
【００５８】
このような第五実施形態では、発音体５から連通孔３１内を通じて共鳴部６７０に伝播した音波は、連通孔３１の略真下の連通孔６３６内に直接的に入射、又は共鳴部６７０により共鳴増幅されて連通孔６３６内に入射する。その結果、伝播損失の小さい連通孔６３６内を通過してパネル２，５４０間の空間残部６７２へと到ることになった音波は、音圧レベルの低下が抑えられたものとなるので、透過パネル５４０に直接的に又は反射を経て確実に伝播することになる。それと共に第五実施形態では、共鳴部６７０により共鳴増幅された音波が、透過パネル５４０と見返し板６３０との間のクリアランス６５０を通じて透過パネル５４０に伝播することにもなる。したがって、これらの伝播経路によれば、透過パネル５４０の振動を十分に増幅させて、当該振動による前方空間４６２への音波伝播率を最大限に上げることができるのである。
【００５９】
加えて第五実施形態では、共鳴部６７０により共鳴増幅された音波が伝播損失の小さい連通孔５３６内を通過して、本体ケース５３０の外周側となる発音体ケース４９０の外部空間４９８に漏出する。この漏出波は、連通孔４９２内を通じた発音体ケース４９０内部からの漏出波（第四実施形態にて説明）に準じて、インパネ４５０の天板部４５２により反射されることで、発音体ケース４９０の外部空間４９８からフード部４５４の内部空間４５６へと伝播する。したがって、共鳴増幅された音波を、フード部４５４及び化粧板部５３２間のクリアランス３５２を通じて透過パネル３４０の前方空間４６２に伝播させることもできる。
【００６０】
以上により第五実施形態では、透過パネル５４０の前方における聴覚情報の音圧レベルを飛躍的に高めることが可能となる。
【００６１】
（他の実施形態）
以上、本発明の複数の実施形態について説明してきたが、本発明は、それら説明の実施形態に限定して解釈されるものではなく、その要旨を逸脱しない範囲内において種々の実施形態に適用することができる。
【００６２】
たとえば第二実施形態においては、第三実施形態に準ずるクリアランス３５０，３５２を形成するようにしてもよい。また、第三実施形態においては、クリアランス３５２を形成しないで、クリアランス３５０からの漏出波をインパネ５０の振動によって透過パネル３４０前方に伝播させてもよい。
【００６３】
第四実施形態においては、クリアランス３５０，３５２の少なくとも一方を形成しないようにしてもよく、特にクリアランス３５２を形成しない場合には、発音体ケース４９０の外部空間４９８への漏出波をインパネ４５０の振動によって透過パネル３４０前方に伝播させてもよい。また、第五実施形態においては、クリアランス３５２，６５０の少なくとも一方を形成しないようにしてもよく、特にクリアランス３５２を形成しない場合には、発音体ケース４９０の外部空間４９８への漏出波をインパネ４５０の振動によって透過パネル５４０前方に伝播させてもよい。さらに、第五実施形態においては、連通孔４９２，５３６，６３６の少なくとも一種を設けないようにしてもよく、特に連通孔６３６を形成しない場合には、共鳴部６７０による共鳴波を見返し板６３０及び本体ケース５３０の振動によって空間残部６７２や透過パネル５４０前方に伝播させてもよい。さらにまた、発音体９，４９０等の関係部品の音圧伝播効果が高い場合や、部品間の組付上において生ずる隙間が連通孔３１相当の効果があれば、専用の連通孔３１を設けないようにしてもよく、この場合、関係部品が樹脂成形品であれば、高価な成形金型を使用する必要性がなくなるのである。
【図面の簡単な説明】
【００６４】
【図１】本発明の第一実施形態による車両用表示装置を示す図であって、図２のＩ−Ｉ線断面図である。
【図２】本発明の第一実施形態による車両用表示装置を示す部分正面図である。
【図３】本発明の第一実施形態による車両用表示装置の電気回路構成を説明する模式図である。
【図４】本発明の第二実施形態による車両用表示装置を示す図であって、図１に対応する断面図である。
【図５】本発明の第三実施形態による車両用表示装置を示す図であって、図１に対応する断面図である。
【図６】本発明の第四実施形態による車両用表示装置を示す図であって、図１に対応する断面図である。
【図７】本発明の第五実施形態による車両用表示装置を示す図であって、図１に対応する断面図である。
【符号の説明】
【００６５】
１…車両用表示装置
２…表示パネル
２ａ…貫通孔
２１…目盛
２２…文字
３，３３０…見返し板（周壁部材）
３ａ…上面部
３１…連通孔（周壁連通孔・第一周壁連通孔）
１３０…内側見返し板（周壁部材）
１３０ａ…上面部
２３０…外側見返し板（カバー部材）
４，３４０，５４０…透過パネル
３４２…本体部
３４４…嵌合部
３５０，３５２，６５０…クリアランス
４６２…前方空間
５…発音体
５ａ…リード線
６…電気回路部
６１，６２…光源
６３…回路基板
６４…回路ケース
６５…ムーブメント
６６…制御回路
７…空間
８…指針
８ａ…回動軸
９，４９０…発音体ケース（カバー部材）
９ａ…挿通孔
４９２…連通孔（カバー連通孔）
４９４…底部
４９６…内部空間
４９８…外部空間
１０…バッテリー
１２…イグニッションスイッチ
１３…速度センサ
５０…インパネ
４５０…インパネ（伝播部材）
４５２…天板部
４５４…フード部
４５６…内部空間
４５８…折返側端
５３０…本体ケース（周壁部材）
５３２…化粧板部
５３２ａ…前面部
５３４…筒壁部
５３４ａ…上面部
５３６…連通孔（第二周壁連通孔）
６３０…見返し板（仕切部材）
６３２…段差部
６３４…筒壁部
６３６…連通孔（仕切連通孔）
６７０…共鳴部
６７２…残部
Ａ…速度計
【図１】
0004433070.tif 000002
【図２】
0004433070.tif 000003
【図３】
0004433070.tif 000004
【図４】
0004433070.tif 000005
【図５】
0004433070.tif 000006
【図６】
0004433070.tif 000007
【図７】
0004433070.tif 000008